(57)【要約】【課題】  複数のコンピュータを無線で制御する制御システムを提供する。【解決手段】  制御システム１００は、少なくとも一つのローカルコンピュータ１１６、１１８、１２０および制御装置１２２を含む。このローカルコンピュータ１１６、１１８、１２０はローカル制御信号を送信する無線信号送信モジュール１２４、１３０、１３２を備える。この制御装置１２２はローカル制御信号を受信するために使用する無線信号受信モジュール１２６を備える。制御装置１２２は、ＫＶＭスイッチ１２８、１３４を介してローカル制御信号をターゲットコンピュータ１０２〜１１４へ送信してターゲットコンピュータ１０２〜１１４を制御する。無線信号送信モジュール１２４、１３０、１３２は、例えば一般の無線カードでもよい。無線通信は、従来の無線通信プロトコルを用いて行ってもよい。無線信号受信モジュール１２６は、例えば一般のアクセスポイントである。【選択図】  図１
2006072962.tif 000002
【特許請求の範囲】
【請求項１】
ローカル制御信号を受信し、ＫＶＭスイッチを介して前記ローカル制御信号をターゲットコンピュータへ送信し、前記ターゲットコンピュータを制御する制御回路と、
少なくとも一つのローカルコンピュータから前記ローカル制御信号を受信し、前記制御回路へ前記ローカル制御信号を送信する無線信号受信モジュールと、
を備えることを特徴とする複数のターゲットコンピュータを遠隔制御する制御装置。
【請求項２】
前記ローカルコンピュータは無線信号送信モジュールを有し、前記無線信号送信モジュールを使用して前記ローカル制御信号を送信することを特徴とする請求項１記載の複数のターゲットコンピュータを遠隔制御する制御装置。
【請求項３】
前記無線信号送信モジュールは、無線カードであることを特徴とする請求項２記載の複数のターゲットコンピュータを遠隔制御する制御装置。
【請求項４】
前記無線信号送信モジュールは無線信号受信機能を有し、前記無線信号受信モジュールは無線信号送信機能を有し、前記ローカルコンピュータと前記ターゲットコンピュータとが信号を交換することを特徴とする請求項２記載の複数のターゲットコンピュータを遠隔制御する制御装置。
【請求項５】
前記無線信号受信モジュールは、無線アクセスポイントであることを特徴とする請求項１記載の複数のターゲットコンピュータを遠隔制御する制御装置。
【請求項６】
複数の前記ローカルコンピュータが前記ターゲットコンピュータへ同時にアクセスするとき、各前記ローカルコンピュータは権限により前記ターゲットコンピュータを制御して前記ローカル制御信号の衝突を防止することを特徴とする請求項１記載の複数のターゲットコンピュータを遠隔制御する制御装置。
【請求項７】
前記権限は、少なくとも一つの前記ターゲットコンピュータの制御権を制限することを特徴とする請求項６記載の複数のターゲットコンピュータを遠隔制御する制御装置。
【請求項８】
前記ローカルコンピュータが無線信号送信モジュールを介して前記ローカル制御信号を送信する前に、前記ローカルコンピュータは前記ローカル制御信号を暗号化し、
前記無線信号受信モジュールを介して前記ローカル制御信号を受信した後に、前記ローカル制御信号を復号化することを特徴とする請求項１記載の複数のターゲットコンピュータを遠隔制御する制御装置。
【請求項９】
前記ターゲットコンピュータの内の１台がクラッシュしたとき、前記ローカルコンピュータは前記ターゲットコンピュータをシャットダウンしてから再起動することにより、前記ローカルコンピュータが前記ターゲットコンピュータを制御し続けることを特徴とする請求項１記載の複数のターゲットコンピュータを遠隔制御する制御装置。
【請求項１０】
前記ターゲットコンピュータは異なるオペレーティングシステムを有することを特徴とする請求項１記載の複数のターゲットコンピュータを遠隔制御する制御装置。
【請求項１１】
前記ローカルコンピュータは、ブラウザをインタフェースとして使用し、前記ターゲットコンピュータを制御することを特徴とする請求項１記載の複数のターゲットコンピュータを遠隔制御する制御装置。
【請求項１２】
前記ローカルコンピュータは、前記ローカルコンピュータの表示装置上に示されるメニューから、前記ターゲットコンピュータのパラメータを選択することを特徴とする請求項１記載の複数のターゲットコンピュータを遠隔制御する制御装置。
【請求項１３】
前記ＫＶＭスイッチを別のＫＶＭスイッチに接続することにより、前記ターゲットコンピュータの数を階層的に拡張させることを特徴とする請求項１記載の複数のターゲットコンピュータを遠隔制御する制御装置。
【発明の詳細な説明】
【技術分野】
【０００１】
本発明は、複数のターゲットコンピュータを制御する制御システムに関し、特に無線方式により複数のターゲットコンピュータを制御する制御システムに関する。
【背景技術】
【０００２】
コンピュータ技術の発達により、複雑な計算や大量のデータの記憶はコンピュータにより処理することができるようになった。そのため、一般的に、企業は日々の記録処理のためにコンピュータを使用している。企業のＭＩＳ（Management Information System）管理者は、ＫＶＭ技術により入力装置（キーボードやマウスなど）を介してデータを入力し、複数のターゲットコンピュータを遠隔制御することができる。例えば１台の入力装置でプログラム管理、データベース管理、コンピュータシステムエラー分析およびデータ共有を行うことができるため、各コンピュータをチェックする必要はなかった。
【０００３】
従来のＫＶＭシステムにおいて、制御装置は接続ラインによりコンピュータへ接続され、それらコンピュータは一般にコンピュータルームに設置されていた。そして、コンピュータルームがコンピュータで満杯になっている場合、コンピュータをさらに追加することは困難であり、コンピュータの配置を換えることも困難であった。
【０００４】
また、従来のコンピュータルーム内では多数の接続ラインが使用されていたために、システム全体が非常に複雑となった。そのため、コンピュータの整理は困難であり、システムも頻繁に故障した。またシステムが一旦故障した場合、故障したコンピュータをチェックして修理することも困難であった。従来のＫＶＭシステムとは、例えばアボセント（Ａｖｏｃｅｎｔ）社のＳｗｉｔｃｈＶｉｅｗ（登録商標）、Ｓｏｒｏｎｔｉ社のＶＰ５０２−ＳＡＵ（登録商標）またはＸｃｅｅｄｉｕｍ社のＮＥＴ−ＫＶＭｘ（登録商標）である。
【０００５】
また、複数のターゲットコンピュータを制御する方法としては、ｐｃＡｎｙｗｈｅｒｅ（登録商標）などといったソフトウェアを使用する方法があった。しかし、ソフトウェアを使用すると、多くのコンピュータ資源が占有された。そして、ターゲットコンピュータの内の１台がクラッシュした場合、ソフトウェアによりターゲットコンピュータを終了させることができたが、ターゲットコンピュータを再起動しても、ローカルコンピュータとターゲットコンピュータとを自動的に接続させることはできなかった。
【発明の開示】
【発明が解決しようとする課題】
【０００６】
本発明の第１の目的は、複数のコンピュータを無線で制御する制御システムを提供することにある。
本発明の第２の目的は、複数のローカルコンピュータを使用して複数のターゲットコンピュータを同時に制御する、複数のターゲットコンピュータを遠隔制御する制御システムを提供することにある。
本発明の第３の目的は、一般の無線カードを使用して複数のターゲットコンピュータを制御する、複数のターゲットコンピュータを遠隔制御する制御システムを提供することにある。
本発明の第４の目的は、従来の無線用通信プロトコルを用いて複数のターゲットコンピュータを制御する、複数のターゲットコンピュータを遠隔制御する制御システムを提供することにある。
本発明の第５の目的は、ターゲットコンピュータの内の１台がクラッシュしたときに、コントロールシステムによりターゲットコンピュータを再起動させて、ローカルコンピュータとターゲットコンピュータとを再び接続させる、複数のターゲットコンピュータを遠隔制御する制御システムを提供することにある。
【課題を解決するための手段】
【０００７】
上述の目的を達成するために、本発明は複数のターゲットコンピュータを遠隔制御する制御システムを提供する。この制御システムには少なくとも一つのローカルコンピュータおよび制御装置が含まれる。このローカルコンピュータは無線信号送信モジュールを有する。そして、この無線信号送信モジュールを用いてローカル制御信号を送信する。
【０００８】
制御装置は無線信号受信モジュールを備える。制御装置は、ＫＶＭスイッチを介してローカル制御信号をターゲットコンピュータへ送信し、ターゲットコンピュータを制御する。無線信号送信モジュールは無線カードでもよい。
【０００９】
複数のローカルコンピュータがターゲットコンピュータへ同時にアクセスするときに、各ローカルコンピュータは、権限によりターゲットコンピュータを制御してローカル信号の衝突を防止する。ターゲットコンピュータの内の１台がクラッシュした場合、ローカルコンピュータはターゲットコンピュータをシャットダウンしてから再起動させることができるため、ローカルコンピュータはターゲットコンピュータを制御し続けることができる。
【発明の効果】
【００１０】
本発明は少なくとも以下に述べるような長所を有し、各実施形態は一つ以上の長所を具備する。本実施形態の制御システムは、複数のターゲットコンピュータを無線で制御することができる。この制御システムは、複数のローカルコンピュータを使用することにより、複数のターゲットコンピュータを同時に制御することができる。この制御システムは、一般の無線カードを使用して複数のターゲットコンピュータを制御することもできる。また、この制御システムは、従来の無線通信プロトコルを用いて複数のターゲットコンピュータを制御することもできる。ターゲットコンピュータはハードウェアにより制御することができるため、ターゲットコンピュータの内の１台がクラッシュしたときに、制御システムはターゲットコンピュータを再起動させて、ローカルコンピュータとターゲットコンピュータとを再接続することができる。
【発明を実施するための最良の形態】
【００１１】
図１は、本発明の一実施形態を示す模式図である。図１に示すように、制御システム１００により複数のターゲットコンピュータ１０２〜１１４を遠隔制御する。制御システム１００には、少なくとも一つのローカルコンピュータ１１６、１１８、１２０および制御装置１２２が含まれる。
【００１２】
従来技術の場合、制御装置１２２は、接続ラインによりローカルコンピュータ１１６、１１８、１２０に接続されていた。また、ローカルコンピュータ１１６、１１８、１２０は、一般にコンピュータルームに設置されていた。そのため、コンピュータルームがコンピュータで満杯になっているときに、コンピュータをさらに追加することは困難であり、コンピュータの配置を換えることも困難であった。
【００１３】
また、従来のコンピュータルームで使用される多数の接続ラインは、全体のシステムを非常に複雑にした。そのため、コンピュータの整理が難しく、システムは頻繁に故障していた。そしてシステムが一旦故障した場合、故障したコンピュータを探して修理することはさらに困難であった。従来のＫＶＭシステムには、例えばアボセント（Ａｖｏｃｅｎｔ）社のＳｗｉｔｃｈＶｉｅｗ（登録商標）、Ｓｏｒｏｎｔｉ社のＶＰ５０２−ＳＡＵ（登録商標）またはＸｃｅｅｄｉｕｍ社のＮＥＴ−ＫＶＭｘ（登録商標）が使用されていた。本発明は、無線通信を使用して長い間存在していた上述の問題を解決することができる。
【００１４】
図１に示すように、１１６などのローカルコンピュータは無線信号送信モジュール１２４を備える。ローカルコンピュータ１１６は、無線信号送信モジュール１２４を介してローカル制御信号を送信する。
【００１５】
制御装置１２２は無線信号受信モジュール１２６を備える。制御装置１２２は、無線信号受信モジュール１２６を介してローカル制御信号を受信する。制御装置１２２は、ＫＶＭスイッチ１２８を介してローカル制御信号をターゲットコンピュータ１０２〜１１４へ送信し、ターゲットコンピュータ１０２〜１１４を制御する。
【００１６】
無線信号送信モジュール１２４は、例えば一般の無線カードである。無線信号受信モジュール１２６は、例えば無線アクセスポイントである。本実施形態において、無線信号送信モジュール１２４および無線信号受信モジュール１２６の通信プロトコルは、例えば８０２．１１ａ、８０２．１１ｂまたは８０２．１１ｇである。無線信号受信モジュール１２６（無線アクセスポイントなど）は、上述の通信プロトコルを支援することができる。これらのプロトコルは従来のものでもよく、無線信号送信モジュールは特定のハードウェアまたはプロトコルに限定されず、市販されている無線カードをローカルコンピュータ１１６に装着して使用してもよい。
【００１７】
本実施形態では、無線信号送信モジュール１２４に無線信号受信機能を持たせるとともに、無線信号受信モジュール１２６に無線信号送信機能を持たせることにより、ローカルコンピュータ１１６とターゲットコンピュータ１０２〜１１４とが信号交換できるようにしてもよい。制御システム１００は、複数のローカルコンピュータ１１６、１１８、１２０を使用して、複数のターゲットコンピュータ１０２〜１１４を同時に制御する。ローカルコンピュータ１１８、１２０は、無線信号送信モジュール１３０、１３２を使用して、ローカル制御信号を無線信号受信モジュール１２６へ送信する。この時、各ローカルコンピュータは、権限によりターゲットコンピュータ１０２〜１１４を制御してローカル信号の衝突を防止する。この権限を用いることにより、少なくとも一つのターゲットコンピュータの制御権を制限することができる。
【００１８】
例えば、ローカルコンピュータ１１６がターゲットコンピュータ１０２、１０４、１０６を制御するとき、ローカルコンピュータ１１８、１２０は、ターゲットコンピュータ１０２、１０４、１０６を制御することができない。ローカルコンピュータ１１８、１２０は、リードオンリ（Read Only）方式により、ターゲットコンピュータ１０２、１０４、１０６の制御画像を閲覧することしかできない。つまり、ローカルコンピュータ１１８、１２０の権限は制限されているということである。
【００１９】
もう一つの実施形態において、ローカルコンピュータ１１６はターゲットコンピュータ１０２のみに限定されている。ローカルコンピュータ１１８の制御権はターゲットコンピュータ１０８、１１０、１１２、１１４のみに限定され、ローカルコンピュータ１２０の権限はターゲットコンピュータ１０４、１０６のみに限定されている。このように、各ローカルコンピュータが有するターゲットコンピュータの制御権限は限定されている。このように、複数のターゲットコンピュータを制御する複数のローカルコンピュータシステムは形成されている。
【００２０】
複数のターゲットコンピュータを制御するためには、情報流出を防止するための安全性に優れたネットワークが必要である。例えば、ローカルコンピュータ１１６が無線信号送信モジュール１２４を介してローカル制御信号を送信する前に、ローカルコンピュータ１１６によりローカル制御信号を暗号化する。制御装置１２２は、無線信号受信モジュール１２６を介してローカル制御信号を受信した後に、そのローカル信号を復号化することにより情報流出を防止する。
【００２１】
ハードウェアにより複数のターゲットコンピュータを制御する長所の一つとしては、ターゲットコンピュータがクラッシュした状態を処理することができる点がある。例えば、ローカルコンピュータ１１６は、ターゲットコンピュータ１０２を強制的に終了させてから再起動させることができる。そのため、ローカルコンピュータ１１６はターゲットコンピュータ１０２を制御し続けることができる。ローカルコンピュータ１１６は、システムの起動画面を監視して、ＢＩＯＳパラメータを変更することができる。またターゲットコンピュータ１０２〜１１４は異なる操作システムを有してもよい。
【００２２】
ローカルコンピュータ１１６、１１８、１２０は、ブラウザをインタフェースに使用してターゲットコンピュータ１０２〜１１４を制御することができる。ローカルコンピュータ１１６、１１８、１２０は、特定のソフトウェアをインタフェースに使用してターゲットコンピュータ１０２〜１１４を制御することもできる。ローカルコンピュータ１１６、１１８、１２０がターゲットコンピュータ１０２〜１１４を制御するとき、ローカルコンピュータ１１６、１１８、１２０は、ローカルコンピュータ１１６、１１８、１２０の少なくとも一つの表示装置に表示されたメニューからターゲットコンピュータのパラメータを選択することができる。このメニューは、例えばオンスクリーンディスプレイ（On Screen Display：ＯＳＤ）であり、ローカルコンピュータはこのメニューからターゲットコンピュータを選択することができる。
【００２３】
図１に示すように、ＫＶＭスイッチ１２８を他のＫＶＭスイッチ１３４へ接続することにより、ターゲットコンピュータの数を階層的に拡張することもできる。その拡張はカスケード（cascade）式拡張と呼ばれる。ターゲットコンピュータ１０８〜１１４は、ＫＶＭスイッチ１３４を介して制御システム１００へ追加することができる。
【００２４】
図２は、本発明の好適な一実施形態による制御装置を示す模式図である。図２は、図１に示す制御装置２００の応用例を示すものである。制御装置２００は、制御回路２０２および無線信号受信モジュール２０４を備える。制御回路２０２は、ローカル制御信号を受信する。図１および図２に示すように、制御装置２００は制御装置１２２に相当する。制御回路２０２は、ＫＶＭスイッチ１２８を介してローカル制御信号をターゲットコンピュータ１０２〜１１４へ送信し、ターゲットコンピュータ１０２〜１１４を制御する。無線信号受信モジュール２０４は、１１６などの少なくとも一つのローカルコンピュータからローカル制御信号を受信し、制御回路２０２へローカル制御信号を送信する。複数のターゲットコンピュータ１０２〜１１４を制御する方法は、図１に示す実施形態と同様である。
【００２５】
本発明は以下に述べるような長所を有し、各実施形態は一つ以上の長所を具備する。上述の説明から分かるように、本実施形態の制御システム１００は、複数のターゲットコンピュータ１０２〜１１４を無線で制御することができる。制御システム１００は、複数のローカルコンピュータ１１６、１１８、１２０を使用することにより、複数のターゲットコンピュータ１０２〜１１４を同時に制御することができる。また、制御システム１００は、一般の無線カードを使用して複数のターゲットコンピュータ１０２〜１１４を制御することもできる。さらに制御システム１００は、従来の無線通信プロトコルを用いて複数のターゲットコンピュータ１０２〜１１４を制御することもできる。ターゲットコンピュータ１０２〜１１４はハードウェアにより制御することができるため、ターゲットコンピュータ１０２〜１１４の内の１台がクラッシュしても、制御システム１００はターゲットコンピュータを再起動させて、ローカルコンピュータとターゲットコンピュータとを再び接続させることができる。
【００２６】
上述のように好適な実施形態を開示したが、これらは決して本発明を限定するものではなく、当該技術に熟知するものなら誰でも、本発明の趣旨と領域を脱しない範囲内で各種の変更や修正を加えることができる。従って本発明の保護の範囲は、特許請求の範囲で指定した内容を基準とする。
【図面の簡単な説明】
【００２７】
【図１】本発明の一実施形態を示す模式図である。
【図２】本発明の一実施形態による制御装置を示す模式図である。
【符号の説明】
【００２８】
１００  制御システム、１０２、１０４、１０６、１０８、１１０、１１２、１１４  ターゲットコンピュータ、１１６、１１８、１２０  ローカルコンピュータ、１２２、２００  制御装置、１２４、１３０、１３２  無線信号送信モジュール、１２６、２０４    無線信号受信モジュール、１２８、１３４  ＫＶＭスイッチ、２０２  制御回路
【図１】
2006072962.tif 000003
【図２】
2006072962.tif 000004